(57)【要約】【課題】設定データを設定する作業が従来構成よりも簡単な監視装置を提供する。【解決手段】監視エリアを撮像する撮像部２と、撮像部２で撮像された画像を他装置に送信する無線送信部４と、撮像部２および無線送信部４の動作に用いる設定データが複数の設定項目の各々について設定されるデータ保存部３とを備えた装置本体１には、全ての設定項目についての設定項目と設定データとの組み合わせが１つの設定ファイルとして所定の設定用フォーマットで記憶されたメモリカード１０を着脱可能なメモリカードインタフェース８と、メモリカードインタフェース８に接続されており、メモリカード１０から設定ファイルを読み出すとともに、読み出した設定ファイルから設定データを抽出してデータ保存部３に設定する設定部９とが設けられている。【選択図】図１
2007174240.tif 000002
【特許請求の範囲】
【請求項１】
監視エリアを撮像する撮像手段と、撮像手段で撮像された画像を他装置に送信する送信手段と、撮像手段および送信手段の動作に用いる設定データが複数の設定項目の各々について設定されるデータ保存手段とを備え、撮像手段および送信手段がデータ保存手段に設定されている設定データを用いて動作する装置本体を有し、装置本体には、全ての設定項目についての設定項目と設定データとの組み合わせが１つの設定ファイルとして所定の設定用フォーマットで記憶されたメモリカードを着脱可能なインタフェースと、インタフェースに接続されており、メモリカードから設定ファイルを読み出すとともに、読み出した設定ファイルから設定データを抽出してデータ保存手段に設定する設定手段とが設けられていることを特徴とする監視装置。
【請求項２】
前記設定手段は、前記設定データを前記データ保存手段に設定する前に当該設定データがデータ保存手段に設定可能な形式か否かを判断し、設定可能な形式でなければ設定データに異常がある旨を通知する形式検査部を有することを特徴とする請求項１記載の監視装置。
【請求項３】
前記メモリカード内の前記設定ファイルには固有のファイル名が付加されており、前記設定手段は、メモリカードに複数の設定ファイルが記憶されている場合に、メモリカード内の全ての設定ファイルをファイル名で一覧表示するファイル表示部と、表示された設定ファイルの中から設定ファイルを１つ選択するように操作されるファイル選択部とを有し、ファイル選択部で選択された設定ファイルから前記設定データを抽出して前記データ保存手段に設定することを特徴とする請求項１または請求項２に記載の監視装置。
【請求項４】
前記設定手段は、前記設定データを前記データ保存手段に設定する前に全ての前記設定項目を一覧表示する項目一覧表示部と、表示された設定項目の中から所望の設定項目を選択するように操作される項目一覧選択部とを有し、項目一覧選択部で選択された設定項目について設定データをデータ保存手段に設定することを特徴とする請求項１ないし請求項３のいずれか１項に記載の監視装置。
【請求項５】
前記設定手段は、前記設定データを前記データ保存手段に設定する前に前記設定項目を１つずつ順次表示する項目順次表示部と、表示された設定項目の設定データをデータ保存手段に設定するか否かを選択するように操作される項目順次選択部とを有し、項目順次選択部で設定データをデータ保存手段に設定するように選択されるごとに、当該設定データをデータ保存手段に設定することを特徴とする請求項１ないし請求項３のいずれか１項に記載の監視装置。
【請求項６】
前記設定手段は、前記メモリカード内で階層構造を持つフォルダおよび当該フォルダ内に記憶された前記設定ファイルを１つずつ表示するフォルダ表示部と、フォルダ表示部に表示させるフォルダおよび設定ファイルを階層順に切り替えるように操作される階層選択部と、フォルダ表示部に表示させるフォルダおよび設定ファイルを同一階層内で切り替えるように操作される同層選択部と、フォルダ表示部に表示された設定ファイルから前記設定データを抽出するか否かを選択するように操作されるファイル決定部とを有し、ファイル決定部で設定データを抽出するように選択された設定ファイルから設定データを抽出して前記データ保存手段に設定することを特徴とする請求項１ないし請求項５のいずれか１項に記載の監視装置。
【請求項７】
前記メモリカード内の前記設定ファイルには固有のファイル名が付加されており、前記設定手段は、メモリカードから設定ファイルに付加されているファイル名を読み出して設定データと共に前記データ保存手段に設定するファイル名設定部と、データ保存手段に設定されているファイル名を表示するファイル名表示部とを有することを特徴とする請求項１ないし請求項６のいずれか１項に記載の監視装置。
【請求項８】
前記設定手段は、前記データ保存手段に前記設定データを設定する際にデータ保存手段に既に設定されている設定データがあれば、データ保存手段に設定されている設定データを前記設定項目と共に読み出し前記設定用フォーマットの前記設定ファイルとして前記メモリカードに記憶する外部バックアップ部を有することを特徴とする請求項１ないし請求項７のいずれか１項に記載の監視装置。
【請求項９】
前記データ保存手段には前記設定データが設定される設定領域とは別にバックアップ領域が設けられており、前記設定手段は、データ保存手段に設定データを保存する際にデータ保存手段に既に設定されている設定データがあれば、データ保存手段に設定されている設定データを前記設定項目と共に読み出し前記設定用フォーマットの前記設定ファイルとしてデータ保存手段のバックアップ領域に記憶する内部バックアップ部と、バックアップ領域に保存された設定ファイルにおける設定データを設定領域に設定するバックアップデータ設定部とを備えることを特徴とする請求項１ないし請求項８のいずれか１項に記載の監視装置。
【請求項１０】
前記設定手段は、前記メモリカードから読み出した前記設定ファイルについて前記データ保存手段への前記設定データの設定が完了した時点で、当該設定ファイルをメモリカード内から消去するファイル消去部を有することを特徴とする請求項１ないし請求項９のいずれか１項に記載の監視装置。
【請求項１１】
前記メモリカードには前記撮像手段および前記送信手段の一時的な動作にのみ使用する特殊な前記設定ファイルが記憶されており、前記設定手段は、メモリカードから読み出した設定ファイルが前記特殊な設定ファイルであるか否かを識別するファイル識別部と、ファイル識別部で前記特殊な設定ファイルであると識別された場合に、撮像手段および送信手段の前記一時的な動作が完了した時点で、前記データ保存手段から設定データを消去するデータ消去部とを有することを特徴とする請求項１ないし請求項１０のいずれか１項に記載の監視装置。
【請求項１２】
前記設定手段は、操作可能な入力部と、入力部の操作に応じて前記データ保存手段に設定されている前記設定データを前記設定項目と共に読み出し、前記設定用フォーマットの前記設定ファイルとして前記メモリカードに記憶するファイルコピー部とを有することを特徴とする請求項１ないし請求項１１のいずれか１項に記載の監視装置。
【請求項１３】
前記メモリカード内の前記設定ファイルには固有のファイル名が付加されており、前記設定手段は、前記ファイルコピー部が設定ファイルをメモリカードに記憶する際に設定ファイルと共にファイル名をメモリカードに記憶するファイル名付加部を有し、ファイル名付加部は、記憶するファイル名と同じファイル名がメモリカードに存在するか否かを判断するファイル名比較部と、同じファイル名が存在すると判断された場合に記憶するファイル名に識別子を追加する識別子追加部と、識別子を追加したファイル名と同じファイル名が存在すると判断された場合に追加した識別子を変更する識別子変更部とを有することを特徴とする請求項１２記載の監視装置。
【請求項１４】
前記設定手段は、前記入力部の操作に従ってファイル名を作成するファイル名作成部と、前記ファイルコピー部が前記設定ファイルを前記メモリカードに記憶する際に、ファイル名作成部で作成したファイル名を設定ファイルと共にメモリカードに記憶するファイル名記憶部とを有することを特徴とする請求項１２記載の監視装置。
【発明の詳細な説明】
【技術分野】
【０００１】
本発明は、監視エリアを撮像し、撮像した画像を他装置に送信する監視装置に関するものである。
【背景技術】
【０００２】
従来から、ユーザが、住宅やビル等における所定の監視エリアの画像を、ネットワーク上に設けた他装置（サーバ）で監視できるようにした監視システムが知られている（たとえば特許文献１参照）。この監視システムでは、監視エリアを撮像する撮像部と、撮像された画像を他装置に送信する送信部とを備えた監視装置が、監視エリアを撮像可能な位置に設置される。
【０００３】
この種の監視装置においては、たとえば撮像時のフラッシュの有無や、画像サイズの設定などの撮像部の動作に関する複数の設定項目、および画像の送信先の電子メールアドレスの設定や、ネットワークへの接続設定などの送信部の動作に関する複数の設定項目について設定を行う必要がある。そこで、監視装置の装置本体には、これらの設定項目の各々の設定内容を示す設定データが全ての設定項目について設定されるデータ保存部が設けられており、撮像部および送信部はデータ保存部に設定されている設定データを用いて動作する。
【０００４】
ところで、データ保存部内の設定データは、図２７に示すように、パソコンなどに専用の設定用ツールをインストールして成る設定用端末１１を用い、当該設定用端末１１を監視装置の装置本体１に接続した状態でユーザが設定用端末１１から設定データを入力することにより設定される。また、監視装置が、各設定項目を表示する表示部と設定データを設定するように操作される入力部とから成る入出力デバイス１２を装置本体１に有する構成では、この入出力デバイス１２を用いて各設定項目ごとにユーザが設定データを入力することによっても、データ保存部内の設定データを設定できる。
【特許文献１】特開２００２−１６５２１１号公報
【発明の開示】
【発明が解決しようとする課題】
【０００５】
しかし、設定用端末１１を用いて設定データを設定する場合には、パソコンなどに専用の設定用ツールをインストールする作業と、設定用端末を監視装置に接続する作業とが必要になり、設定データを設定する作業は面倒である。また、入出力デバイス１２を用いて設定データを設定する場合には、ユーザは各設定項目ごとにそれぞれ設定データを入力する必要があるから、設定データを設定する作業は面倒である。
【０００６】
本発明は上記事由に鑑みて為されたものであって、設定データを設定する作業が従来構成よりも簡単な監視装置を提供することを目的とする。
【課題を解決するための手段】
【０００７】
請求項１の発明では、監視エリアを撮像する撮像手段と、撮像手段で撮像された画像を他装置に送信する送信手段と、撮像手段および送信手段の動作に用いる設定データが複数の設定項目の各々について設定されるデータ保存手段とを備え、撮像手段および送信手段がデータ保存手段に設定されている設定データを用いて動作する装置本体を有し、装置本体には、全ての設定項目についての設定項目と設定データとの組み合わせが１つの設定ファイルとして所定の設定用フォーマットで記憶されたメモリカードを着脱可能なインタフェースと、インタフェースに接続されており、メモリカードから設定ファイルを読み出すとともに、読み出した設定ファイルから設定データを抽出してデータ保存手段に設定する設定手段とが設けられていることを特徴とする。
【０００８】
この構成によれば、インタフェースに装着されたメモリカードから設定ファイルを読み出すとともに、読み出した設定ファイルから設定データを抽出してデータ保存手段に設定する設定手段が装置本体に設けられているので、設定ファイルが記憶されたメモリカードをインタフェースに装着すれば、設定手段によって自動的に設定データをデータ保存手段に設定することができる。すなわち、インタフェースにメモリカードを装着することにより自動的に設定データをデータ保存手段に設定できるから、従来構成に比べて設定データを設定する作業が簡単になるという利点がある。また、設定手段はメモリカードに記憶された設定ファイルから設定データを抽出し装置本体のデータ保存手段に設定するので、メモリカードをインタフェースから抜いても装置本体内においてはデータ保存手段に設定データが保持されることになり、メモリカードをインタフェースから抜いた状態で撮像手段および送信手段を動作させることができる。
【０００９】
請求項２の発明は、請求項１の発明において、前記設定手段が、前記設定データを前記データ保存手段に設定する前に当該設定データがデータ保存手段に設定可能な形式か否かを判断し、設定可能な形式でなければ設定データに異常がある旨を通知する形式検査部を有することを特徴とする。
【００１０】
この構成によれば、設定データがデータ保存手段に設定可能な形式でなければ設定データに異常がある旨が通知されるので、データ保存手段に異常な設定データが設定されることによる撮像手段および送信手段の異常な動作を防ぐことができる。なお、データ保存手段に設定可能な形式ではない設定データとは、たとえば電子メールアドレスに使用できない文字を含む場合や、電話番号にアルファベットを含む場合や、必要な設定項目が不足している場合等を指す。
【００１１】
請求項３の発明は、請求項１または請求項２の発明において、前記メモリカード内の前記設定ファイルには固有のファイル名が付加されており、前記設定手段が、メモリカードに複数の設定ファイルが記憶されている場合に、メモリカード内の全ての設定ファイルをファイル名で一覧表示するファイル表示部と、表示された設定ファイルの中から設定ファイルを１つ選択するように操作されるファイル選択部とを有し、ファイル選択部で選択された設定ファイルから前記設定データを抽出して前記データ保存手段に設定することを特徴とする。
【００１２】
この構成によれば、ファイル表示部に一覧表示されたメモリカードに記憶されている設定ファイルの中から、ファイル選択部により所望の設定ファイルを選択することができるので、複数台の装置本体に対して個別の設定を行う場合など、複数種類の設定ファイルが必要な場合でも、１つのメモリカードを用いて、かつメモリカード内の設定ファイルを書き換えることなく、設定データの設定が可能になる。たとえば、複数台の監視装置を別々のユーザに対して出荷する際に、パソコン等で全てのユーザ分の設定ファイルを１度作成し、全ての設定ファイルをメモリカードに記憶してから、各設定ファイルを１つずつ使用して各装置本体に設定データを設定していくという手段をとることができる。
【００１３】
請求項４の発明は、請求項１ないし請求項３のいずれかの発明において、前記設定手段が、前記設定データを前記データ保存手段に設定する前に全ての前記設定項目を一覧表示する項目一覧表示部と、表示された設定項目の中から所望の設定項目を選択するように操作される項目一覧選択部とを有し、項目一覧選択部で選択された設定項目について設定データをデータ保存手段に設定することを特徴とする。
【００１４】
この構成によれば、項目一覧選択部で選択された設定項目についてのみ設定データをデータ保存手段に設定するので、既に設定データが設定されている装置本体に対して、一部の設定項目の設定データのみを変更することが可能になる。
【００１５】
請求項５の発明は、請求項１ないし請求項３のいずれかの発明において、前記設定手段が、前記設定データを前記データ保存手段に設定する前に前記設定項目を１つずつ順次表示する項目順次表示部と、表示された設定項目の設定データをデータ保存手段に設定するか否かを選択するように操作される項目順次選択部とを有し、項目順次選択部で設定データをデータ保存手段に設定するように選択されるごとに、当該設定データをデータ保存手段に設定することを特徴とする。
【００１６】
この構成によれば、項目順次選択部で選択された設定項目についてのみ設定データをデータ保存手段に設定するので、既に設定データが設定されている装置本体に対して、一部の設定項目の設定データのみを変更することが可能になる。しかも、項目順次表示部では設定項目が１つずつ順次表示されるので、確実に全ての設定項目について、設定データを設定するか否かをユーザに選択させることができる。
【００１７】
請求項６の発明は、請求項１ないし請求項５のいずれかの発明において、前記設定手段が、前記メモリカード内で階層構造を持つフォルダおよび当該フォルダ内に記憶された前記設定ファイルを１つずつ表示するフォルダ表示部と、フォルダ表示部に表示させるフォルダおよび設定ファイルを階層順に切り替えるように操作される階層選択部と、フォルダ表示部に表示させるフォルダおよび設定ファイルを同一階層内で切り替えるように操作される同層選択部と、フォルダ表示部に表示された設定ファイルから前記設定データを抽出するか否かを選択するように操作されるファイル決定部とを有し、ファイル決定部で設定データを抽出するように選択された設定ファイルから設定データを抽出して前記データ保存手段に設定することを特徴とする。
【００１８】
この構成によれば、メモリカード内のフォルダおよびファイルを、階層順に切り替えて表示させたり、同一階層内で切り替えて表示させたりすることによって、メモリカードから設定ファイルを検索する際にメモリカード内の階層構造を用いて設定ファイルを検索することができるので、複数の設定ファイルが日付や所属などの情報に基づいてフォルダごとにグループ分けされたメモリカードから、所望の設定ファイルを検索しやすくなる。
【００１９】
請求項７の発明は、請求項１ないし請求項６のいずれかの発明において、前記メモリカード内の前記設定ファイルには固有のファイル名が付加されており、前記設定手段が、メモリカードから設定ファイルに付加されているファイル名を読み出して設定データと共に前記データ保存手段に設定するファイル名設定部と、データ保存手段に設定されているファイル名を表示するファイル名表示部とを有することを特徴とする。
【００２０】
この構成によれば、データ保存手段に設定されている設定データを、ファイル名表示部に表示されるファイル名を用いて識別することができる。
【００２１】
請求項８の発明は、請求項１ないし請求項７のいずれかの発明において、前記設定手段が、前記データ保存手段に前記設定データを設定する際にデータ保存手段に既に設定されている設定データがあれば、データ保存手段に設定されている設定データを前記設定項目と共に読み出し前記設定用フォーマットの前記設定ファイルとして前記メモリカードに記憶する外部バックアップ部を有することを特徴とする。
【００２２】
この構成によれば、データ保存手段に設定データを設定する際にデータ保存手段に既に設定されている設定データのバックアップをとることができるので、間違って設定を行ってしまった場合などに、外部バックアップ部でメモリカードに記憶された設定ファイルを用いて設定データの再設定を行うことにより、以前設定されていた設定データを復帰させることができる。
【００２３】
請求項９の発明は、請求項１ないし請求項８のいずれかの発明において、前記データ保存手段には前記設定データが設定される設定領域とは別にバックアップ領域が設けられており、前記設定手段が、データ保存手段に設定データを保存する際にデータ保存手段に既に設定されている設定データがあれば、データ保存手段に設定されている設定データを前記設定項目と共に読み出し前記設定用フォーマットの前記設定ファイルとしてデータ保存手段のバックアップ領域に記憶する内部バックアップ部と、バックアップ領域に保存された設定ファイルにおける設定データを設定領域に設定するバックアップデータ設定部とを備えることを特徴とする。
【００２４】
この構成によれば、データ保存手段に設定データを設定する際にデータ保存手段に既に設定されている設定データのバックアップをとることができるので、間違って設定を行ってしまった場合などに、内部バックアップ部でデータ保存手段に記憶された設定ファイルを用いて設定データの再設定を行うことにより、以前設定されていた設定データを復帰させることができる。しかも、内部バックアップ部により記憶される設定ファイルは装置本体のデータ保存手段に記憶されるから、メモリカードを用いることなく装置本体のみで設定データの再設定を行うことができる。
【００２５】
請求項１０の発明は、請求項１ないし請求項９のいずれかの発明において、前記設定手段が、前記メモリカードから読み出した前記設定ファイルについて前記データ保存手段への前記設定データの設定が完了した時点で、当該設定ファイルをメモリカード内から消去するファイル消去部を有することを特徴とする。
【００２６】
この構成によれば、設定データの設定が完了した時点で、使用した設定ファイルをメモリカード内から自動的に消去することができる。これにより、１度設定を行った設定データを他の装置本体に対して設定する必要がない場合に、メモリカードから不要になった設定ファイルが自動的に消去されるので、他の装置本体の設定時に間違えて同じ設定ファイルを用いることを防止できる。
【００２７】
請求項１１の発明は、請求項１ないし請求項１０のいずれかの発明において、前記メモリカードには前記撮像手段および前記送信手段の一時的な動作にのみ使用する特殊な前記設定ファイルが記憶されており、前記設定手段が、メモリカードから読み出した設定ファイルが前記特殊な設定ファイルであるか否かを識別するファイル識別部と、ファイル識別部で前記特殊な設定ファイルであると識別された場合に、撮像手段および送信手段の前記一時的な動作が完了した時点で、前記データ保存手段から設定データを消去するデータ消去部とを有することを特徴とする。
【００２８】
この構成によれば、撮像手段および送信手段の一時的な動作にのみ使用する特殊な設定ファイルについては、この一時的な動作が完了した時点でデータ保存手段から自動的に消去されるので、たとえばユーザに対して装置本体を出荷する前に１度だけ行われる検査工程用の設定ファイルについては、検査工程完了後に設定データが自動的に消去されることになる。これにより、ユーザにとって不必要な検査工程用の設定データが設定されたまま、装置本体が出荷されるという不具合がなくなる。
【００２９】
請求項１２の発明は、請求項１ないし請求項１１のいずれかの発明において、前記設定手段が、操作可能な入力部と、入力部の操作に応じて前記データ保存手段に設定されている前記設定データを前記設定項目と共に読み出し、前記設定用フォーマットの前記設定ファイルとして前記メモリカードに記憶するファイルコピー部とを有することを特徴とする。
【００３０】
この構成によれば、ファイルコピー部によって、データ保存手段に設定されている設定データと同じ設定データを含む設定ファイルをメモリカードに記憶できるので、ファイルコピー部でメモリカードに記憶された設定ファイルを用いることにより、他の装置本体に読み出し元の装置本体と同じ設定データを簡単に設定することができる。また、当該メモリカード内の設定ファイルの読み出しおよび表示が可能なパソコンなどを用いることにより、データ保存手段に設定されている設定データを確認することができるという利点もある。
【００３１】
請求項１３の発明は、請求項１２の発明において、前記メモリカード内の前記設定ファイルには固有のファイル名が付加されており、前記設定手段が、前記ファイルコピー部が設定ファイルをメモリカードに記憶する際に設定ファイルと共にファイル名をメモリカードに記憶するファイル名付加部を有し、ファイル名付加部が、記憶するファイル名と同じファイル名がメモリカードに存在するか否かを判断するファイル名比較部と、同じファイル名が存在すると判断された場合に記憶するファイル名に識別子を追加する識別子追加部と、識別子を追加したファイル名と同じファイル名が存在すると判断された場合に追加した識別子を変更する識別子変更部とを有することを特徴とする。
【００３２】
この構成によれば、ファイルコピー部でメモリカードに記憶される設定ファイルに対してファイル名付加部でファイル名を付加することができるので、メモリカードに記憶された設定ファイルをファイル名により識別可能になる。しかも、ファイル名付加部は記憶するファイル名と同じファイル名がメモリカードに存在する場合にはファイル名に識別子を追加し、また、識別子を追加したファイル名と同じファイル名がメモリカードに存在する場合には追加した識別子を変更するので、必然的に、メモリカードに存在するファイル名とは異なるファイル名がファイル名付加部により記憶されることになる。したがって、ファイルコピー部により１つのメモリカードに対して複数の設定ファイルを記憶する場合にも、これら複数の設定ファイルにはそれぞれ異なるファイル名が付加され、ファイル名による設定ファイルの識別が可能になる。
【００３３】
請求項１４の発明は、請求項１２の発明において、前記設定手段が、前記入力部の操作に従ってファイル名を作成するファイル名作成部と、前記ファイルコピー部が前記設定ファイルを前記メモリカードに記憶する際に、ファイル名作成部で作成したファイル名を設定ファイルと共にメモリカードに記憶するファイル名記憶部とを有することを特徴とする。
【００３４】
この構成によれば、ファイルコピー部でメモリカードに記憶される設定ファイルに対してファイル名作成部で作成したファイル名を付加することができるので、メモリカードに記憶された設定ファイルをファイル名により識別可能になる。しかも、ファイル名作成部ではファイル名を入力部の操作に従って作成するので、設定ファイルの使用目的等に合わせてユーザが任意のファイル名を作成することができ、これにより、設定ファイルを官吏しやすくなるという利点がある。
【発明の効果】
【００３５】
本発明は、インタフェースに装着されたメモリカードから設定ファイルを読み出すとともに、読み出した設定ファイルから設定データを抽出してデータ保存手段に設定する設定手段が装置本体に設けられているので、設定ファイルが記憶されたメモリカードをインタフェースに装着すれば、設定手段によって自動的に設定データをデータ保存手段に設定することができる。すなわち、インタフェースにメモリカードを装着することにより自動的に設定データをデータ保存手段に設定できるから、従来構成に比べて設定データを設定する作業が簡単になる。また、設定手段はメモリカードに記憶された設定ファイルから設定データを抽出し装置本体のデータ保存手段に設定するので、メモリカードをインタフェースから抜いても装置本体内においてはデータ保存手段に設定データが保持されることになり、メモリカードをインタフェースから抜いた状態で撮像手段および送信手段を動作させることができるという利点がある。
【発明を実施するための最良の形態】
【００３６】
（実施形態１）
本実施形態の監視装置は、図１に示すように、監視エリアを撮像する撮像手段としての撮像部（ＣＭＯＳ、ＣＣＤカメラなど）２と、撮像された画像データを保存するデータ保存部３と、データ保存部３内の画像を遠隔地にある携帯電話やパソコンなどの電子メールの受信端末（他装置）に無線信号を用いて送信する送信手段としての無線送信部４と、受信端末から発信された撮像開始の指示等の無線信号を受信する無線受信部５と、ユーザが直接操作し各種入力を行う際に使用する入力部６と、各種表示を行う表示部７と、メモリカードを着脱可能なインタフェースとしてのメモリカードインタフェース８と、後述する設定部９とで構成された装置本体１を備える。メモリカードインタフェース８は、装置本体１とは別体のメモリカード（ここでは、コンパクトフラッシュ（登録商標）などの小型フラッシュメモリカード）１０が挿抜可能に構成されたカードスロットを有する。
【００３７】
ところで、データ保存部３は、撮像部２と無線送信部４と無線受信部５との動作に用いる設定データが複数の設定項目の各々について設定されるデータ保存手段としての機能を兼ねている。すなわち、撮像部２と無線送信部４と無線受信部５とは、データ保存部３に設定されている設定データを用いて動作する。設定データは、画像の送信先（電子メールアドレス等）や、撮像開始の指示の発信元の情報（電話番号等）や、画像送信時の通信設定（インターネット接続設定等）や、撮像機能設定（画像サイズ等）など、複数の設定項目の各々について設定される。
【００３８】
本実施形態では、上述した設定データをデータ保存部３に設定する機能を、設定部９と入力部６と表示部７とで構成される設定手段に設けてある。ただし、設定手段を用いると２通りの手段で設定データを設定することができる。まず、１つ目の手段は、ユーザが入力部６および表示部７を用いて各設定項目ごとに設定データを入力するというもの（以下、手動設定という）であり、この手動設定は、従来構成として説明した入出力デバイスを用いた設定データの設定に相当する。そして、２つ目の手段は、設定部９が、全ての設定項目についての設定項目と設定データとの組み合わせが１つの設定ファイルとして所定の設定用フォーマットで記憶されたメモリカード１０を用いて、データ保存部３に自動的に設定データを設定するというもの（以下、自動設定という）である。
【００３９】
後者の自動設定について詳述すると、設定部９は、メモリカード１０がメモリカードインタフェース８に装着されているか否かを検知するとともに、メモリカード１０の装着時にメモリカード１０内に記憶されている設定ファイルを読み出し、読み出した設定ファイルから設定データを抽出してデータ保存部３に設定するように構成される。これにより、メモリカード１０内の設定ファイルに含まれる設定データを設定部９により自動的に設定することができる。本実施形態では、図２に示すように全ての設定項目について各設定項目と設定データとを一対一に対応付けて記述したテキストファイルを設定用ファイルとして用いており、このテキストファイルのフォーマットを設定用フォーマットとしている。設定部９には、設定データを設定する前に、読み出した設定ファイルのフォーマットと図２のような設定用フォーマットとを比較してフォーマットに違いがあるか否かを判定する機能も組み込まれている。なお、図２ではインターネットサービスプロバイダを「ＩＳＰ」と略称している。
【００４０】
以下に、本実施形態の監視装置の基本動作を図３を参照して説明する。
【００４１】
設定部９は、装置本体１に電源が投入されると、まずメモリカード１０がメモリカードインタフェース８に装着されているか否かを検知し（Ｓ０１）、メモリカード１０が装着されていれば（Ｓ０２：Ｙｅｓ）、メモリカード１０内の設定ファイルを検索する（Ｓ０３）。そして、メモリカード１０内に設定ファイルが存在すれば（Ｓ０４：Ｙｅｓ）、この設定ファイルのフォーマットが図２に示したような設定用フォーマットであるか否かを判定する（Ｓ０５）。ここで、メモリカード１０内の設定ファイルのフォーマットが設定用フォーマットに該当すれば（Ｓ０５：Ｙｅｓ）、この設定ファイルから設定データを抽出してデータ保存部３に設定する（Ｓ０６）。
【００４２】
なお、メモリカード１０が装着されていることを認識させる方法としては、本実施形態のように装置本体１への電源投入時にメモリカード１０を認識させる方法の他、装置本体１の動作中にメモリカード１０を装着して認識させる方法、あるいは装置本体１にメモリカード１０を装着した状態で表示部７にメモリカード１０を認識させるためのメニューを表示し、このメニューを選択する指示が入力部６を用いて入力された際に認識させる方法などがある。
【００４３】
また、無線送信部４および無線受信部５の機能を、カード型のＰＨＳやカード型の携帯電話や無線ＬＡＮカードなど、メモリカード１０と同じメモリカードインタフェース８に装着可能なカード形状のデバイス（以下、通信カード４’と呼ぶ）で実現してもよい。この構成では、装置本体１の自動設定を行う際には図４（ａ）に示すように、メモリカードインタフェース８のカードスロットにメモリカード１０を装着し、自動設定が完了すれば図４（ｂ）に示すように、メモリカードインタフェース８のカードスロットに通信カード４’を装着するというように、メモリカードインタフェース８をメモリカード１０と通信カード４’とで共用させることもできる。
【００４４】
さらに設定部９は、図５に示すように、図３のステップＳ０５において、メモリカード１０内の設定ファイルのフォーマットが設定用フォーマットに該当しないと判定すると（Ｓ０５：Ｎｏ）、設定ファイルに異常があり自動設定を行うことができない旨を示す画面Ｄ０１（図６に示す）を表示部７に表示する（Ｓ０７）形式検査部としての機能を有する。この構成では、メモリカード１０内の設定ファイルに異常がある場合に、自動設定ができない旨をユーザに通知することができる。なお、たとえばメールアドレスに使用できない文字が含まれている場合や、電話番号にアルファベットが含まれている場合や、必要な設定項目が不足している場合などに、設定ファイルのフォーマットが設定用フォーマットに該当しない（つまり、設定ファイルの異常）と判定する。
【００４５】
ところで、メモリカード１０内に設定ファイルが複数存在する場合もあり、このとき各設定ファイルを識別可能なように全ての設定ファイルにはそれぞれ固有のファイル名が付加されている。そして、メモリカード１０内に設定ファイルが複数存在する場合には、ユーザがその複数の設定ファイルの中から装置本体１に設定するときに使用する設定ファイルを１つ選択する。そのための構成として、設定部９は、メモリカード１０に記憶されている設定ファイルをファイル名で一覧表示するファイル表示部として表示部７を使用し、表示部７に表示されるカーソルを移動させ１つの設定ファイルを選択するように操作されるファイル選択部として入力部６を使用する。なお、入力部６は、図７に示すように、それぞれ押操作が可能な、エンターボタンＥとキャンセルボタンＣと、上下左右の各々に対応する４つのカーソルボタン（上に対応するカーソルボタンＵおよび下に対応するカーソルボタンＤを含む）とを少なくとも備えている。
【００４６】
以下に、メモリカード１０内に設定ファイルが複数存在する場合の本実施形態の動作を図８，９を参照して説明する。
【００４７】
設定部９は、メモリカード１０内に設定ファイルが存在すれば（Ｓ０４：Ｙｅｓ）、まず、メモリカード１０内に記憶されている全ての設定ファイルのファイル名の一覧を設定ファイルリストＤ０２として表示部７に表示する（Ｓ０８）。そして、カーソルボタンＵ，Ｄの押操作により表示部７に表示中の画面Ｄ０２〜Ｄ０５をスクロールさせて、カーソルで指定されるファイル名を切り替えながら所望の設定ファイルを１つ選択する（Ｓ０９，Ｓ１０）。その後、エンターボタンＥが押されると（Ｓ１１：Ｙｅｓ）、確認用の画面Ｄ０６を表示し、再度エンターボタンＥが押されると選択された設定ファイルを用いて自動設定を実行する（Ｓ０６）。なお、設定ファイルリストを表示する前に、各設定ファイルのフォーマットの検査（Ｓ０５）を行い、設定用フォーマットに該当する設定ファイルのみをリストアップして表示するようにしてもよい。
【００４８】
また、メモリカード１０内において複数の設定ファイルが階層分けされたディレクトリ構造を有する場合には、このディレクトリ構造を利用して設定ファイルを検索できるように、設定部９は、メモリカード１０内で階層構造を持つディレクトリ（フォルダ）およびディレクトリ内に記憶された設定ファイルを１つずつ表示するフォルダ表示部として表示部７を使用し、設定ファイルの選択に入力部６を使用する。具体的には、入力部６は、表示部７に表示させるディレクトリおよび設定ファイルを階層順に切り替えるように操作される階層選択部としてカーソルボタンＵ，Ｄが使用され、表示部７に表示させるディレクトリおよび設定ファイルを同一階層内で切り替えるように操作される同層選択部としてエンターボタンＥおよびキャンセルボタンＣが使用され、表示部７に表示された設定ファイルから設定データを抽出するか否かを選択するように操作されるファイル決定部としてもエンターボタンＥおよびキャンセルボタンＣが使用される。
【００４９】
以下に、図１０に示すディレクト構造を有したメモリカード１０から設定ファイルを読み出す場合の本実施形態の動作を図１１，１２を参照して説明する。なお、図１０に示すディレクトリ構造は、ルートディレクトリ内に、ディレクトリＡ（図中ｄＡ）とファイルＦ（図中ｆＦ）とが格納され、ディレクトリＡ内にディレクトリＢ（図中ｄＢ）とファイルＣ（図中ｆＣ）とが格納され、ディレクトリＢ内にファイルＡ（図中ｆＡ）とファイルＢ（図中ｆＢ）とが格納されて成る。
【００５０】
設定部９は、メモリカード１０が装着されていれば（Ｓ０２：Ｙｅｓ）、まず、メモリカード１０内の設定ファイルおよびディレクトリを検索し（Ｓ１２）、表示部７に表示する（Ｓ１３）。ここでは最初にディレクトリＡを示す画面Ｄ０９を表示する。それから、カーソルボタンＵ，Ｄの押操作により表示中の画面Ｄ０９，Ｄ１０をスクロールさせて、表示するディレクトリＡおよび設定ファイルＦを切り替えながら所望のディレクトリあるいは設定ファイルを１つ選択させる（Ｓ１５，Ｓ１６）。一方、画面Ｄ０９を表した状態でエンターボタンＥが押されると（Ｓ１４：Ｙｅｓ）、表示しているのが設定ファイルではなくディレクトリであるから（Ｓ１７：Ｎｏ）、ディレクトリＡ内のディレクトリＢを示す画面Ｄ１１を表示する（Ｓ１８）。ここでも、カーソルボタンＵ，Ｄの押操作により、表示中の画面Ｄ１１，１２をスクロールさせることができる。画面Ｄ１１の表示中にエンターボタンＥが押されると、ディレクトリＢ内のファイルＡを示す画面Ｄ１３を表示する。ここでもカーソルボタンＵ，Ｄの押操作により、表示中の画面Ｄ１３，１４をスクロールさせることができる。画面Ｄ１３の表示中にエンターボタンＥが押されると（Ｓ１７：Ｙｅｓ）、設定ファイル決定画面Ｄ１５を表示し（Ｓ１９）、その後エンターボタンＥが押されると（Ｓ２０，Ｓ２１）、設定ファイルＡを用いて自動設定を実行する（Ｓ０６）。
【００５１】
また、本実施形態の設定部９は、メモリカード１０から設定ファイルを読み出す際に、この設定ファイルに付加されているファイル名を読み出し、読み出したファイル名を設定データと共にデータ保存部３に設定するファイル名設定部としての機能を有する。すなわち、図１３に示すように、設定データをデータ保存部３に設定した（Ｓ０６）後に、自動設定に用いた設定ファイルのファイル名をデータ保存部３に自動的に書き込む（Ｓ２２）。さらに、設定部９は、データ保存部３に設定されているファイル名を表示するファイル名表示部として表示部７を使用する。ここでは、データ保存部３に設定されているファイル名を、入力部６の操作に応じて任意のタイミングで表示部７に表示するように構成される。
【００５２】
この構成では、自動設定の後に入力部６の操作に応じて、図１４（ａ）に示す画面Ｄ１６のように、自動設定に用いた設定ファイルのファイル名（ここではファイルＡ）を表示部７に表示させることができるから、ユーザは装置本体１の自動設定に用いた設定ファイルを、各設定項目の設定データをそれぞれ確認することなくファイル名によって容易に認識することができる。なお、メモリカード１０を用いた自動設定ではなく、入力部６および表示部７を用いた手動設定により設定データが設定されている場合には、データ保存部３にファイル名が設定されることはないから、ファイル名表示部としての表示部７には、図１４（ｂ）のように設定済みの設定ファイルはないことを示す画面Ｄ１７を表示する。
【００５３】
ところで、複数の設定ファイルが記憶されたメモリカード１０を用いて複数台の装置本体１にそれぞれ異なる設定ファイルを設定する場合に、メモリカード１０内に設定済みの設定ファイルが残っていると、人為的ミスにより、ある装置本体１に設定済みの設定データを誤って他の装置本体１にも設定してしまう可能性がある。そこで、複数台の装置本体１にそれぞれ異なる設定ファイルを設定する場合には、設定データの設定が完了した時点で、使用した設定ファイルをメモリカード１０から自動的に消去するファイル消去部としての機能を設定部９に設けることが望ましい。この構成では、設定部９は、図１５に示すように設定データをデータ保存部３に設定した（Ｓ０６）後に、使用した設定ファイルをメモリカード１０から消去する処理（Ｓ２３）を自動的に実行するので、上述したような、ある装置本体１に設定済みの設定データを誤って他の装置本体１にも設定してしまうという人為的ミスを防ぐことができる。
【００５４】
また、たとえば装置本体１を商品として出荷する場合には、一般的に出荷前の検査工程として撮像部２と無線送信部４と無線受信部５とを動作確認のために一時的に動作させる必要がある。このような一時的な動作でのみ用いる設定データは、検査工程が完了すれば不要になる。そこで、本実施形態では、この種の一時的な動作でのみ用いる設定データが記述された設定ファイルを特殊な設定ファイルとし、設定部９に、メモリカード１０から読み出した設定ファイルが前記特殊な設定ファイルであるか否かを識別するファイル識別部としての機能、およびファイル識別部で前記特殊な設定ファイルであると識別された場合に、撮像部２と無線送信部４と無線受信部５との一時的な動作（検査工程など）が完了した時点で、データ保存部３から設定データを消去するデータ消去部としての機能を設けてある。
【００５５】
具体的には、設定部９は図１６に示すように設定データをデータ保存部３に設定する（Ｓ０６）前に、読み出した設定ファイルが特殊な設定ファイルであるか否かを識別し（Ｓ２４）、特殊な設定ファイルである識別すると（Ｓ２４：Ｙｅｓ）、設定データを設定した後で、特殊な設定ファイルであることを示すデータ保存部３内のフラグをセットする（Ｓ２５）。そして、このフラグがセットされているときには、撮像部２と無線送信部４と無線受信部５との一時的な動作の完了後に、設定データをデータ保存部３から自動的に消去するように構成される。この構成では、たとえば検査工程完了後に不要になる設定データを検査工程の完了後にデータ保存部３から自動的に消去するので、不要な設定データをデータ保存部３から消去する手間が省ける。また、不要な設定データが設定されたままでユーザに出荷されるという不手際も防止できる。
【００５６】
なお、本実施形態でメモリカード１０に記憶される設定ファイルは上述したようにテキストファイルであるから、汎用のパソコン等で設定ファイルの読み出しや編集を行うこともできる。
【００５７】
（実施形態２）
本実施形態の監視装置は、各設定項目ごとに設定データを設定するか否かを選択できるようにした点が実施形態１の監視装置とは相違する。
【００５８】
具体的な構成としては、設定部９は、全ての設定項目を一覧表示する項目一覧表示部として表示部７を使用し、表示された設定項目の中から所望の設定項目を選択するように操作される項目一覧選択部として入力部６を使用し、入力部６で選択された設定項目についてのみ設定データをデータ保存部３に設定する。これにより、メモリカード１０を用いた自動設定において、メモリカード１０内の設定データを全て設定する以外に、必要な設定項目のみを選択して設定することができるようになる。
【００５９】
以下に、この構成を採用した監視装置の動作について図１７，１８を参照して説明する。
【００６０】
設定部９は、メモリカード１０内の設定ファイルの存在を検出すると（Ｓ０４：Ｙｅｓ）、設定項目の一覧である設定項目リストを作成し（Ｓ３０）、作成した設定項目リストＤ２１を表示部７に表示する。図１７では設定項目ごとに［Ｙｅｓ］あるいは［Ｎｏ］の識別子が付与されており、設定部９は、この識別子が［Ｙｅｓ］になっている設定項目について設定データの設定を行う。ここで、カーソルボタンＵ，Ｄの押操作により表示中の画面Ｄ２１〜Ｄ２３をスクロールさせて、表示中の設定項目を切り替えながら所望の設定項目を選択する（Ｓ３１，Ｓ３２）。そして、所望の設定項目を選択した状態で、キャンセルボタンＣが押されると（Ｓ３３：Ｙｅｓ）、選択中の設定項目の識別子が切り替えられる（Ｓ３４）。画面Ｄ２１〜Ｄ２３の表示中においては、識別子が切り替えられることによりそれぞれ画面Ｄ２４〜Ｄ２６が表示される。一方、画面Ｄ２１〜Ｄ２３の表示中にエンターボタンＥが押されると（Ｓ３５：Ｙｅｓ）、実施形態１で説明したステップＳ０５に移行する。そして、その後の自動設定においては、設定項目リストＤ２１上で識別子が［Ｙｅｓ］とされた設定項目についてのみ設定データの設定が行われる。
【００６１】
また、本実施形態の他の構成として、設定部９が、設定項目を１つずつ順次表示する項目順次表示部として表示部７を使用し、表示された設定項目の設定データをデータ保存部３に設定するか否かを選択するように操作される項目順次選択部として入力部６を使用する構成としてもよい。この構成では、設定部９は、入力部６によって設定データを設定するように選択された設定項目について、次の設定項目を表示部７に表示する前にデータ保存部３への設定データの設定を行う。すなわち、メモリカード１０に保存された設定データの内容を各設定項目ごとに１つずつ、設定するか否かが質問される対話形式で設定することができる。
【００６２】
以下に、この構成を採用した監視装置の動作について図１９，２０を参照して説明する。
【００６３】
設定部９は、メモリカード１０内の設定ファイルの存在を検出すると（Ｓ０４：Ｙｅｓ）、１つの設定項目を示す設定選択画面Ｄ３０を表示部７に表示する（Ｓ３６）。そして、ここでエンターボタンＥが押されると（Ｓ３７：Ｙｅｓ）、表示中の設定項目について設定データの設定が実行され（Ｓ３９）、同設定項目について設定が完了した旨を示す画面Ｄ３１を表示する。なお、設定選択画面の表示中にキャンセルボタンＣが押されると、表示中の設定項目についての設定を行わず、同設定項目についての設定をキャンセルした旨を示す画面（設定選択画面Ｄ３２の場合はＤ３４）を表示する（Ｓ４０）。その後、エンターボタンＥが押されると（Ｓ４１：Ｙｅｓ）、全ての設定項目について設定選択画面の表示が終了しているか否かを判断し（Ｓ４２）、全ての設定項目について表示が終了していなければ（Ｓ４２：Ｎｏ）、次の設定項目を示す設定選択画面Ｄ３２に切り替えて（Ｓ４３）、ステップＳ３７に移行する。そして、上述した処理が全ての設定項目について完了すると（Ｓ４２：Ｙｅｓ）、全設定項目完了画面Ｄ３９を表示する（Ｓ４４）。
【００６４】
また、図２１に示すように、各設定項目を示す設定選択画面Ｄ４１の表示中に、カーソルボタンＵ，Ｄの押操作に従って、表示中の設定項目について装置本体１に既に設定されている設定データを示す画面Ｄ４２、およびメモリカード１０内の設定ファイルに記述されている設定データを示す画面Ｄ４３を表示する構成としてもよい。この構成では、各設定項目ごとに、設定されている設定データおよび設定しようとしている設定データを確認しながら、設定を行うか否かを決定していくことができるから、必要な設定データのみを設定し直すことにより無駄な設定作業は省くことができ、設定作業の効率がより向上する。その他の構成および機能は実施形態１と同様である。
【００６５】
（実施形態３）
本実施形態の監視装置は、設定部９がデータ保存部３に設定データを設定するより前に、既に装置本体１のデータ保存部３に設定されている設定データがあった場合に、データ保存部３から設定データを読み出して、設定項目と共に設定用フォーマットの設定ファイルとして保存する点が実施形態１の監視装置とは相違する。
【００６６】
具体的な構成としては、設定部９は、データ保存部３に設定データを設定する前に、データ保存部３に既に設定されている設定データを設定項目と共に読み出し、設定用フォーマットの設定ファイルとして、メモリカードインタフェース８に装着されたメモリカード１０の空き領域に保存する外部バックアップ部としての機能を有する。これにより、設定部９による装置本体１への設定以前に装置本体１に設定されていた設定データのバックアップをとることができる。
【００６７】
この構成では、図２２に示すように、設定部９は、データ保存部３に設定データを設定する（Ｓ０６）前に、装置本体１のデータ保存部３から設定データおよび設定項目を読み出し（Ｓ５０）、読み出した設定データおよび設定項目からバックアップファイルとして設定用フォーマットの設定ファイルを作成する（Ｓ５１）。そして、作成したバックアップファイルをメモリカード１０に保存する（Ｓ５２）。
【００６８】
また、装置本体１のデータ保存部３が、設定データが設定される領域とは別に、バックアップファイルの保存用にバックアップ領域を持っている場合には、本実施形態の他の構成として、設定部９に対して、上述のように作成したバックアップファイル（設定ファイル）をデータ保存部３のバックアップ領域に記憶する内部バックアップ部としての機能と、バックアップ領域に保存された設定ファイルから設定データを抽出して設定領域に設定するバックアップデータ設定部としての機能とを付加してもよい。
【００６９】
この構成では、図２３に示すように、設定部９は、データ保存部３の設定領域に設定データを設定する（Ｓ０６）前に、データ保存部３の設定領域から設定データおよび設定項目を読み出し（Ｓ５３）、読み出した設定データおよび設定項目をバックアップファイルとしてデータ保存部３のバックアップ領域に書き込み保存する（Ｓ５４）。なお、設定部９は、入力部６の操作に応じてバックアップ領域内の設定データを設定領域に設定する構成であることが望ましい。その他の構成および機能は実施形態１と同様である。
【００７０】
（実施形態４）
本実施形態の監視装置は、設定部９が、入力部６の操作に応じてデータ保存部３に設定されている設定データを設定項目と共に読み出し、設定用フォーマットの設定ファイルとしてメモリカード１０に記憶するファイルコピー部としての機能を有する点が実施形態１に記載の監視装置とは相違する。
【００７１】
これにより、装置本体１に設定されている設定データを入力部６の操作に応じてメモリカード１０内にコピーすることができるので、メモリカード１０内の設定ファイルをパソコン等で読み出すことにより、全ての設定項目についての設定データを一括してパソコン等の画面に一括表示することができる。このように全ての設定項目を一括して表示すると、監視装置の表示部７に各設定項目をスクロールさせながら各設定データを確認する場合に比べて、監視装置に設定されている設定データの確認が容易になるという利点がある。また、ある装置本体１から読み出して設定部９によりメモリカード１０に記憶した設定ファイルを用いれば、他の装置本体１に同じ設定データをコピーすることも容易になる。
【００７２】
本実施形態の監視装置の基本動作について図２４を参照して説明する。
【００７３】
設定部９は、装置本体１に電源が投入されると、メモリカード１０がメモリカードインタフェース８に装着されているか否かを検知し（Ｓ０１）、メモリカード１０が装着されていると判断すれば（Ｓ０２：Ｙｅｓ）、データ保存部３から設定データの読み出しを開始させる特定の指示が入力部６からあったか否かを判断する（Ｓ６０）。前記特定の指示があると（Ｓ６０：Ｙｅｓ）、データ保存部３から設定データを設定項目と共に読み出し（Ｓ６１）、設定データおよび設定項目に基づき設定用フォーマットの設定ファイルを作成して（Ｓ６２）、作成した設定ファイルをメモリカード１０に出力する（Ｓ６３）。ステップ６３においては、出力する設定ファイルに固有のファイル名も設定ファイルと共にメモリカード１０に出力して記憶する。つまり、設定部９がファイル名付加部として機能する。なお、装置本体１のデータ保存部３に設定データが設定されていない場合にはステップＳ６１において設定データを読み出すことができないので、設定部９は、データ保存部３に設定データが設定されていない場合に前記特定の指示が入力部６からあれば（Ｓ６０：Ｙｅｓ）、設定データが未設定である旨を示す画面を表示部７に表示する構成とすることが望ましい。
【００７４】
また、ステップＳ６３において設定ファイルと共にメモリカード１０に出力するファイル名が、既にメモリカード１０に記憶されている別の設定ファイルのファイル名と同じであった場合には、メモリカード１０内に記憶された設定ファイルをファイル名で識別できない、あるいは、ステップＳ６３において出力された設定ファイルが既にメモリカード１０内に記憶されている別の設定ファイルに上書きされることにより前記別の設定ファイルが失われる、という不具合を生じる。そこで、本実施形態の設定部９には、メモリカード１０に出力するファイル名と同じファイル名がメモリカード１０に既に存在するか否かを判断するファイル名比較部としての機能と、同じファイル名が存在すると判断された場合に出力するファイル名に識別子を追加する識別子追加部としての機能と、識別子を追加したファイル名と同じファイル名が存在すると判断された場合に追加した識別子を変更する識別子変更部としての機能とを設けてある。
【００７５】
これにより、設定部９は、図２５に示すように、入力部６から前記特定の指示があると（Ｓ６０：Ｙｅｓ）、メモリカード１０内を検索してメモリカード１０内に存在するファイル名のリストを作成し（Ｓ６４）、その後、メモリカード１０に出力する設定ファイルに固有のファイル名（ここでは「ｓｅｔｄａｔａ．ｔｘｔ」とする）を付加する（Ｓ６５）。そして、出力する設定ファイルに付加されたファイル名と、リスト上のファイル名とを比較し、同じファイル名が存在するか否かを判断する（Ｓ６６）。ここで、同じファイル名が存在すれば（Ｓ６６：Ｙｅｓ）、出力する設定ファイルに付加されたファイル名に番号「０１」を追加して「ｓｅｔｄａｔａ０１．ｔｘｔ」とする（Ｓ６７）。それから、番号を追加したファイル名と、リスト上のファイル名とを比較し、同じファイル名が存在するか否かを判断する（Ｓ６８）。ここで、同じのファイル名が存在すれば（Ｓ６８：Ｙｅｓ）、ステップＳ６７に移行し、先に付加した番号「０１」を他の番号「０２」に変更してファイル名を「ｓｅｔｄａｔａ０２．ｔｘｔ」とする。一方、出力する設定ファイルに付加されたファイル名と、リスト上のファイル名とで、同じファイル名が存在しなければ（Ｓ６６：Ｎｏ、あるいはＳ６８：Ｎｏ）、ステップＳ６２に移行する。なお、ここではファイル名に追加する識別子を一連番号（０１，０２，０３，…）としているが、これに限らずアルファベットやその他の文字を識別子として追加してもよい。
【００７６】
一方、設定部９に、表示部７を用いた入力部６の操作に従って任意のファイル名を作成するファイル名作成部としての機能と、作成したファイル名をステップ６３において出力する設定ファイルと共に出力して記憶するファイル名記憶部としての機能とを設けてもよい。この構成では、設定部９は、図２６に示すように入力部６から前記特定の指示があると（Ｓ６０：Ｙｅｓ）、ファイル名を入力するためのファイル名設定メニューを起動する（Ｓ６９）。そして、このファイル名設定メニューを用いてユーザが入力したファイル名を、ファイル名入力データとして取得する（Ｓ７０）。その後、ステップＳ６１に移行する。ただし、ステップＳ６３においては、ファイル名入力データとして取得したファイル名を、設定ファイルと共にメモリカード１０に出力する。すなわち、メモリカード１０に出力する設定ファイルのファイル名を、入力部６の操作によりユーザが任意に設定できるから、たとえば装置本体１の設置場所などに応じてファイル名を区別することによって、メモリカード１０内の設定ファイルの管理が容易になる。その他の構成および機能は実施形態１と同様である。
【図面の簡単な説明】
【００７７】
【図１】本発明の実施形態１の構成を示すブロック図である。
【図２】同上に用いる設定ファイルを示す説明図である。
【図３】同上の基本動作を示すフローチャートである。
【図４】同上の他の構成を示すブロック図である。
【図５】同上の動作を示すフローチャートである。
【図６】同上の表示部の画面を示す説明図である。
【図７】同上の入力部を示す平面図である。
【図８】同上の表示部の動作を示すフローチャートである。
【図９】同上の他の動作を示すフローチャートである。
【図１０】同上に用いるメモリカード内のディレクトリ構造を示す説明図である。
【図１１】同上の表示部の他の動作を示すフローチャートである。
【図１２】同上のさらに他の動作を示すフローチャートである。
【図１３】同上のさらに他の動作を示すフローチャートである。
【図１４】同上の表示部の画面を示す説明図である。
【図１５】同上のさらに他の動作を示すフローチャートである。
【図１６】同上のさらに他の動作を示すフローチャートである。
【図１７】本発明の実施形態２の表示部の動作を示すフローチャートである。
【図１８】同上の動作を示すフローチャートである。
【図１９】同上の表示部の他の動作を示すフローチャートである。
【図２０】同上の他の動作を示すフローチャートである。
【図２１】同上の表示部のさらに他の動作を示すフローチャートである。
【図２２】本発明の実施形態３の動作を示すフローチャートである。
【図２３】同上の他の動作を示すフローチャートである。
【図２４】本発明の実施形態４の基本動作を示すフローチャートである。
【図２５】同上の動作を示すフローチャートである。
【図２６】同上の他の動作を示すフローチャートである。
【図２７】従来例を示すブロック図である。
【符号の説明】
【００７８】
１  装置本体
２  撮像部（撮像手段）
３  データ保存部（データ保存手段）
４  無線送信部（送信手段）
６  入力部
７  表示部
８  メモリカードインタフェース（インタフェース）
９  設定部
１０  メモリカード
【図１】
2007174240.tif 000003
【図２】
2007174240.tif 000004
【図３】
2007174240.tif 000005
【図４】
2007174240.tif 000006
【図５】
2007174240.tif 000007
【図６】
2007174240.tif 000008
【図７】
2007174240.tif 000009
【図８】
2007174240.tif 000010
【図９】
2007174240.tif 000011
【図１０】
2007174240.tif 000012
【図１１】
2007174240.tif 000013
【図１２】
2007174240.tif 000014
【図１３】
2007174240.tif 000015
【図１４】
2007174240.tif 000016
【図１５】
2007174240.tif 000017
【図１６】
2007174240.tif 000018
【図１７】
2007174240.tif 000019
【図１８】
2007174240.tif 000020
【図１９】
2007174240.tif 000021
【図２０】
2007174240.tif 000022
【図２１】
2007174240.tif 000023
【図２２】
2007174240.tif 000024
【図２３】
2007174240.tif 000025
【図２４】
2007174240.tif 000026
【図２５】
2007174240.tif 000027
【図２６】
2007174240.tif 000028
【図２７】
2007174240.tif 000029